(57)【要約】【課題】フレーム同期処理の処理時間の短縮化を図ることができるフレーム同期装置を提供する。【解決手段】フレーム同期装置は、フレーム長の時間間隔でフレームトリガ７１及び７４を含むフレームトリガ７０を生成し、フレームトリガ７１を基準としてフレーム２を含むキャプチャ信号８１を入力信号６０からキャプチャし、キャプチャ信号８１に含まれるフレーム２の先頭位置６２を検出し、基準とされたフレームトリガ７１からフレーム２の先頭位置６２までの時間を基準時間Ｔｓとして検出し、基準時間Ｔｓが検出された以降にフレームトリガ７４を基準としてフレーム１２を含むキャプチャ信号８２を入力信号６０からキャプチャし、フレーム１２の先頭位置６４を基準時間Ｔｓに基づいて検出する。【選択図】図２
2019102925.tif 000002
【特許請求の範囲】
【請求項１】
フレーム長が既知の複数のフレームを含む入力信号（ｂ）からキャプチャされたフレームの先頭位置を検出するフレーム同期装置（３０）であって、
前記フレーム長の時間間隔で第１及び第２のフレームトリガを含むフレームトリガ（７０）を生成するフレームトリガ生成手段（３１）と、
前記第１のフレームトリガを基準として第１のフレームを含む第１のキャプチャ信号を前記入力信号からキャプチャする第１のキャプチャ手段（４１）と、
キャプチャされた前記第１のキャプチャ信号に含まれる前記第１のフレームの先頭位置を検出し検出信号（ｃ）を外部に出力する第１のフレーム先頭位置検出手段（４２）と、
前記第１のキャプチャ手段によって基準とされた前記第１のフレームトリガから前記第１のフレーム先頭位置検出手段によって検出された前記第１のフレームの先頭位置までの時間を基準時間として検出する基準時間検出手段（４３）と、
前記基準時間検出手段によって前記基準時間が検出された以降に前記第２のフレームトリガを基準として第２のフレームを含む第２のキャプチャ信号を前記入力信号からキャプチャする第２のキャプチャ手段（５１）と、
キャプチャされた前記第２のキャプチャ信号に含まれる前記第２のフレームの先頭位置を前記基準時間に基づいて検出し検出信号（ｃ）を外部に出力する第２のフレーム先頭位置検出手段（５３）と、
を備えたことを特徴とするフレーム同期装置。
【請求項２】
前記基準時間に基づいて前記第２のフレームの先頭位置を検出する検出窓（Ｗ）を設定する検出窓設定手段（５２）をさらに備え、
前記第２のフレーム先頭位置検出手段は、前記検出窓設定手段によって設定された前記検出窓において前記第２のフレームの先頭位置を検出するものであることを特徴とする請求項１に記載のフレーム同期装置。
【請求項３】
請求項１又は請求項２に記載のフレーム同期装置（３０）を備えた測定装置（１０）であって、
入力した入力信号をベースバンド信号にダウンコンバートするダウンコンバート手段（２１）と、
前記フレーム同期装置から出力される前記検出信号（ｃ）に基づいて前記ベースバンド信号を復調して復調信号（ｄ）を出力する復調信号出力手段（１３）と、
出力された前記復調信号を測定する測定手段（１４）と、
を備えたことを特徴とする測定装置。
【請求項４】
フレーム長が既知の複数のフレームを含む入力信号（ｂ）からキャプチャされたフレームの先頭位置を検出するフレーム同期方法であって、
前記フレーム長の時間間隔で第１及び第２のフレームトリガを含むフレームトリガを生成するフレームトリガ生成ステップ（Ｓ１３）と、
前記第１のフレームトリガを基準として第１のフレームを含む第１のキャプチャ信号を前記入力信号からキャプチャする第１のキャプチャステップ（Ｓ１５）と、
キャプチャされた前記第１のキャプチャ信号に含まれる前記第１のフレームの先頭位置を検出し検出信号（ｃ）を外部に出力する第１のフレーム先頭位置検出ステップ（Ｓ１６）と、
前記第１のキャプチャステップにおいて基準とされた前記第１のフレームトリガから前記第１のフレーム先頭位置検出ステップにおいて検出された前記第１のフレームの先頭位置までの時間を基準時間として検出する基準時間検出ステップ（Ｓ１７）と、
前記基準時間検出ステップにおいて前記基準時間が検出された以降に前記第２のフレームトリガを基準として第２のフレームを含む第２のキャプチャ信号を前記入力信号からキャプチャする第２のキャプチャステップ（Ｓ１９）と、
キャプチャされた前記第２のキャプチャ信号に含まれる前記第２のフレームの先頭位置を前記基準時間に基づいて検出し検出信号（ｃ）を外部に出力する第２のフレーム先頭位置検出ステップ（Ｓ２２）と、
を含むことを特徴とするフレーム同期方法。
【請求項５】
前記基準時間に基づいて前記第２のフレームの先頭位置を検出する検出窓（Ｗ）を設定する検出窓設定ステップ（Ｓ２１）をさらに含み、
前記第２のフレーム先頭位置検出ステップは、前記検出窓設定ステップで設定された前記検出窓において前記第２のフレームの先頭位置を検出することを特徴とする請求項４に記載のフレーム同期方法。
【請求項６】
請求項４又は請求項５に記載のフレーム同期方法を含む測定方法であって、
入力した前記入力信号をベースバンド信号にダウンコンバートするダウンコンバートステップ（Ｓ１１）と、
前記フレーム同期方法において出力される前記検出信号（ｃ）に基づいて前記ベースバンド信号を復調して復調信号（ｄ）を出力する復調信号出力ステップ（Ｓ２４）と、
出力された前記復調信号を測定する測定ステップ（Ｓ２５）と、
を含むことを特徴とする測定方法。
【発明の詳細な説明】
【技術分野】
【０００１】
本発明は、例えばフレームの先頭位置を検出するフレーム同期装置及びそれを備えた測定装置並びにフレーム同期方法及び測定方法に関する。
【背景技術】
【０００２】
従来、この種の装置は、受信するフレームと同一のフォーマットを有する参照フレームを予め用意し、受信信号のシンボルに対して参照フレームのシンボルを順次シフトさせて相関処理を行う、いわゆるスライディング相関処理を実行することにより相関ピークを求め、その相関ピークに基づいてフレームの先頭位置を検出するようになっている（例えば、特許文献１参照）。
【先行技術文献】
【特許文献】
【０００３】
【特許文献１】特開２００１−２１１１３７号公報
【発明の概要】
【発明が解決しようとする課題】
【０００４】
しかしながら、従来のスライディング相関処理では、受信信号からキャプチャ信号をキャプチャするごとにスライディング相関処理を行って、キャプチャ信号に含まれるフレームの先頭位置を求めていたので、フレーム同期処理の処理時間が比較的長時間となるという課題があった。
【０００５】
本発明は、従来の課題を解決するためになされたものであり、フレーム同期処理の処理時間の短縮化を図ることができるフレーム同期装置及びそれを備えた測定装置並びにフレーム同期方法及び測定方法を提供することを目的とする。
【課題を解決するための手段】
【０００６】
本発明の請求項１に係るフレーム同期装置は、フレーム長が既知の複数のフレームを含む入力信号（ｂ）からキャプチャされたフレームの先頭位置を検出するフレーム同期装置（３０）であって、前記フレーム長の時間間隔で第１及び第２のフレームトリガを含むフレームトリガ（７０）を生成するフレームトリガ生成手段（３１）と、前記第１のフレームトリガを基準として第１のフレームを含む第１のキャプチャ信号を前記入力信号からキャプチャする第１のキャプチャ手段（４１）と、キャプチャされた前記第１のキャプチャ信号に含まれる前記第１のフレームの先頭位置を検出し検出信号（ｃ）を外部に出力する第１のフレーム先頭位置検出手段（４２）と、前記第１のキャプチャ手段によって基準とされた前記第１のフレームトリガから前記第１のフレーム先頭位置検出手段によって検出された前記第１のフレームの先頭位置までの時間を基準時間として検出する基準時間検出手段（４３）と、前記基準時間検出手段によって前記基準時間が検出された以降に前記第２のフレームトリガを基準として第２のフレームを含む第２のキャプチャ信号を前記入力信号からキャプチャする第２のキャプチャ手段（５１）と、キャプチャされた前記第２のキャプチャ信号に含まれる前記第２のフレームの先頭位置を前記基準時間に基づいて検出し検出信号（ｃ）を外部に出力する第２のフレーム先頭位置検出手段（５３）と、を備えた構成を有している。
【０００７】
この構成により、本発明の請求項１に係るフレーム同期装置は、第１のフレームトリガから第１のフレームの先頭位置までの基準時間を検出した後において、基準時間に基づいて第２のフレームの先頭位置を検出することができる。
【０００８】
したがって、本発明の請求項１に係るフレーム同期装置は、入力信号からキャプチャ信号をキャプチャするごとにスライディング相関処理等を行ってフレームの先頭位置を求める従来技術よりも、フレーム同期処理の処理時間の短縮化を図ることができる。
【０００９】
本発明の請求項２に係るフレーム同期装置は、前記基準時間に基づいて前記第２のフレームの先頭位置を検出する検出窓（Ｗ）を設定する検出窓設定手段（５２）をさらに備え、前記第２のフレーム先頭位置検出手段は、前記検出窓設定手段によって設定された前記検出窓において前記第２のフレームの先頭位置を検出するものである構成を有している。
【００１０】
この構成により、本発明の請求項２に係るフレーム同期装置は、検出窓において第２のフレームの先頭位置を検出するので、フレーム同期処理の処理時間の短縮化を図ることができる。
【００１１】
本発明の請求項３に係る測定装置は、請求項１又は請求項２に記載のフレーム同期装置（３０）を備えた測定装置（１０）であって、入力した入力信号をベースバンド信号にダウンコンバートするダウンコンバート手段（２１）と、前記フレーム同期装置から出力される前記検出信号（ｃ）に基づいて前記ベースバンド信号を復調して復調信号（ｄ）を出力する復調信号出力手段（１３）と、出力された前記復調信号を測定する測定手段（１４）と、を備えた構成を有している。
【００１２】
この構成により、本発明の請求項３に係る測定装置は、フレーム同期処理の処理時間の短縮化を図ることができるフレーム同期装置を備えるので、測定時間の短縮化を図ることができる。
【００１３】
本発明の請求項４に係るフレーム同期方法は、フレーム長が既知の複数のフレームを含む入力信号（ｂ）からキャプチャされたフレームの先頭位置を検出するフレーム同期方法であって、前記フレーム長の時間間隔で第１及び第２のフレームトリガを含むフレームトリガを生成するフレームトリガ生成ステップ（Ｓ１３）と、前記第１のフレームトリガを基準として第１のフレームを含む第１のキャプチャ信号を前記入力信号からキャプチャする第１のキャプチャステップ（Ｓ１５）と、キャプチャされた前記第１のキャプチャ信号に含まれる前記第１のフレームの先頭位置を検出し検出信号（ｃ）を外部に出力する第１のフレーム先頭位置検出ステップ（Ｓ１６）と、前記第１のキャプチャステップにおいて基準とされた前記第１のフレームトリガから前記第１のフレーム先頭位置検出ステップにおいて検出された前記第１のフレームの先頭位置までの時間を基準時間として検出する基準時間検出ステップ（Ｓ１７）と、前記基準時間検出ステップにおいて前記基準時間が検出された以降に前記第２のフレームトリガを基準として第２のフレームを含む第２のキャプチャ信号を前記入力信号からキャプチャする第２のキャプチャステップ（Ｓ１９）と、キャプチャされた前記第２のキャプチャ信号に含まれる前記第２のフレームの先頭位置を前記基準時間に基づいて検出し検出信号（ｃ）を外部に出力する第２のフレーム先頭位置検出ステップ（Ｓ２２）と、を含む構成を有している。
【００１４】
この構成により、本発明の請求項４に係るフレーム同期方法は、第１のフレームトリガから第１のフレームの先頭位置までの基準時間を検出した後において、基準時間に基づいて第２のフレームの先頭位置を検出することができる。
【００１５】
したがって、本発明の請求項４に係るフレーム同期方法は、入力信号からキャプチャ信号をキャプチャするごとにスライディング相関処理等を行ってフレームの先頭位置を求める従来技術よりも、フレーム同期処理の処理時間の短縮化を図ることができる。
【００１６】
本発明の請求項５に係るフレーム同期方法は、前記基準時間に基づいて前記第２のフレームの先頭位置を検出する検出窓（Ｗ）を設定する検出窓設定ステップ（Ｓ２１）をさらに含み、前記第２のフレーム先頭位置検出ステップは、前記検出窓設定ステップで設定された前記検出窓において前記第２のフレームの先頭位置を検出する構成を有している。
【００１７】
この構成により、本発明の請求項５に係るフレーム同期方法は、検出窓において第２のフレームの先頭位置を検出するので、フレーム同期処理の処理時間の短縮化を図ることができる。
【００１８】
本発明の請求項６に係る測定方法は、請求項４又は請求項５に記載のフレーム同期方法を含む測定方法であって、入力した前記入力信号をベースバンド信号にダウンコンバートするダウンコンバートステップ（Ｓ１１）と、前記フレーム同期方法において出力される前記検出信号（ｃ）に基づいて前記ベースバンド信号を復調して復調信号（ｄ）を出力する復調信号出力ステップ（Ｓ２４）と、出力された前記復調信号を測定する測定ステップ（Ｓ２５）と、を含む構成を有している。
【００１９】
この構成により、本発明の請求項６に係る測定方法は、フレーム同期処理の処理時間の短縮化を図ることができるフレーム同期方法を含むので、測定時間の短縮化を図ることができる。
【発明の効果】
【００２０】
本発明は、フレーム同期処理の処理時間の短縮化を図ることができるという効果を有するフレーム同期装置及びそれを備えた測定装置並びにフレーム同期方法及び測定方法を提供することができるものである。
【図面の簡単な説明】
【００２１】
【図１】本発明に係る測定装置の一実施形態におけるブロック構成図である。
【図２】本発明に係るフレーム同期装置の機能説明図である。
【図３】本発明に係るフレーム同期装置の一実施形態によるフレームの先頭位置検出手法と、従来技術によるフレームの先頭位置検出手法とを対比した概念的な説明図である。
【図４】本発明に係る測定装置の一実施形態におけるフローチャートである。
【発明を実施するための形態】
【００２２】
以下、本発明の実施形態について図面を用いて説明する。なお、本発明のフレーム同期装置を、ＯＦＤＭ（Orthogonal Frequency Division Multiplexing：直交周波数分割多重）信号を出力する被測定装置（ＤＵＴ）を測定する測定装置に適用した例を挙げて説明する。
【００２３】
まず、本発明に係る測定装置の一実施形態における構成について説明する。
【００２４】
図１に示すように、本実施形態における測定装置１０は、受信部２０、フレーム同期装置３０、ＯＦＤＭ復調部１３、測定部１４、表示部１５を備え、ＤＵＴ１を測定するものである。ＤＵＴ１から入力する入力信号ａは、既知のフォーマットを有する入力フレームを含み、データシンボルの信号成分と、リファレンス信号成分とを有する。すなわち、測定装置１０は、ＤＵＴ１から入力するＯＦＤＭ信号（入力信号ａ）に含まれるフレームのフォーマットを予め把握しており、入力フレームにおけるリファレンス信号成分の位置は既知である。
【００２５】
受信部２０は、ダウンコンバータ２１、ＡＤＣ（アナログ・デジタル・コンバータ）２２、直交復調部２３を備えている。
【００２６】
ダウンコンバータ２１は、ＤＵＴ１から入力した入力信号ａをベースバンドの信号に周波数変換し、ＡＤＣ２２に出力するようになっている。このダウンコンバータ２１は、ダウンコンバート手段の一例である。
【００２７】
ＡＤＣ２２は、ダウンコンバータ２１が周波数変換した信号をアナログ値からデジタル値に変換し、直交復調部２３に出力するようになっている。
【００２８】
直交復調部２３は、ＡＤＣ２２の出力信号をＩ（同相）信号成分及びＱ（直交）信号成分に直交復調し、直交復調した直交復調信号ｂをフレーム同期装置３０及びＯＦＤＭ復調部１３に出力するようになっている。
【００２９】
フレーム同期装置３０は、入力信号に含まれるフレームの先頭位置を検出することにより、フレーム同期処理を行うものである。具体的には、フレーム同期装置３０は、直交復調部２３から出力された直交復調信号ｂに含まれるフレームの先頭位置を検出し、検出したフレームの先頭位置を示す先頭位置検出信号ｃを装置外部のＯＦＤＭ復調部１３に出力するようになっている。このフレーム同期装置３０の詳細な構成については後述する。なお、直交復調信号ｂは、フレーム同期装置３０の入力信号である。
【００３０】
ＯＦＤＭ復調部１３は、直交復調部２３から直交復調信号ｂと、フレーム同期装置３０から先頭位置検出信号ｃとを入力するようになっている。そして、ＯＦＤＭ復調部１３は、フレーム同期装置３０から入力する先頭位置検出信号ｃに基づいて、直交復調部２３からの直交復調信号ｂを復調して復調信号ｄを生成し、測定部１４に出力するようになっている。なお、ＯＦＤＭ復調部１３は、復調信号出力手段の一例である。
【００３１】
測定部１４は、ＯＦＤＭ復調部１３によって復調された復調信号ｄに対して、例えば、送信パワー、ＥＶＭ（Error Vector Magnitude）、コンスタレーション等を測定可能に構成されている。この測定部１４は、測定手段の一例である。
【００３２】
表示部１５は、測定部１４により得られた測定結果のデータやグラフ等を表示するようになっている。
【００３３】
次に、フレーム同期装置３０の構成について説明する。フレーム同期装置３０は、第１の同期処理部４０、第２の同期処理部５０、フレームトリガ生成部３１、基準時間記憶部３２、同期状態検出部３３を備えている。
【００３４】
第１の同期処理部４０は、第１のキャプチャ部４１、第１の先頭位置検出部４２、基準時間検出部４３を備えている。第２の同期処理部５０は、第２のキャプチャ部５１、検出窓設定部５２、第２の先頭位置検出部５３を備えている。
【００３５】
以下、フレーム同期装置３０の詳細な構成について、図２を参照しながら説明する。図２は、フレーム同期装置３０の機能を説明するための図である。
【００３６】
図２には、フレーム同期装置３０の入力信号６０、フレームトリガ７０、キャプチャ信号８０、参照フレーム９０が示されている。
【００３７】
入力信号６０は、フレーム長が既知のフレーム１、２等の複数のフレームを含んでいる。なお、フレーム１の先頭位置６１、フレーム２の先頭位置６２等が示されているが、フレーム同期装置３０が入力信号６０を入力した時点では、これらの先頭位置は不明である。
【００３８】
フレームトリガ生成部３１は、フレームトリガ７０を生成し、第１の同期処理部４０及び第２の同期処理部５０に出力するようになっている。このフレームトリガ７０は、フレームトリガ７１〜７６を含んでいる。各フレームトリガの時間間隔は、入力信号６０に含まれる各フレームのフレーム長と等しい。なお、フレームトリガ生成部３１は、フレームトリガ生成手段の一例である。
【００３９】
第１のキャプチャ部４１は、入力信号６０に対する１回目のキャプチャ処理として、フレームトリガ７１（第１のフレームトリガ）を基準として、少なくとも１つのフレームが含まれる長さを有するキャプチャ信号８１をキャプチャするようになっている。図示の例では、キャプチャ信号８１は、２フレーム分の長さを有し、フレーム２（斜線部）を含んでいる。このフレーム２は第１のフレームに対応し、フレーム２に含まれるデータは測定部１４の測定対象となる。なお、第１のキャプチャ部４１は、第１のキャプチャ手段の一例である。
【００４０】
第１の先頭位置検出部４２は、入力フレームと同一のフォーマットを有する予め用意された参照フレーム９０を用いて、例えばスライディング相関処理により、キャプチャ信号８１に含まれるフレーム、すなわちフレーム２の先頭位置６２を検出するようになっている。図示の例では、参照フレーム９０がスライディング相関処理時に時間Ｔａだけスライドした状態が示されている。スライディング相関処理の結果、第１の先頭位置検出部４２は、フレーム２の先頭位置６２を検出することができる。このフレーム２の先頭位置６２は、第１のフレームの先頭位置に対応する。なお、第１の先頭位置検出部４２は、第１のフレーム先頭位置検出手段の一例である。
【００４１】
基準時間検出部４３は、第１のキャプチャ部４１によって基準とされたフレームトリガ７１から第１の先頭位置検出部４２によって検出されたフレーム２の先頭位置６２までの時間を基準時間Ｔｓとして検出するようになっている。なお、基準時間検出部４３は、基準時間検出手段の一例である。
【００４２】
基準時間記憶部３２は、基準時間検出部４３によって検出された基準時間Ｔｓのデータを記憶するようになっている。
【００４３】
同期状態検出部３３は、基準時間Ｔｓのデータが基準時間記憶部３２に記憶されている状態（基準時間Ｔｓが検出されている状態）を示す先頭位置同期状態、又は、基準時間Ｔｓのデータが基準時間記憶部３２に記憶されていない状態（基準時間Ｔｓが検出されていない状態）を示す先頭位置非同期状態のいずれか一方の状態を検出するようになっている。そして、同期状態検出部３３は、入力信号６０を、先頭位置非同期状態を検出した場合には第１の同期処理部４０に出力し、先頭位置同期状態を検出した場合には第２の同期処理部５０に出力するようになっている。
【００４４】
第２のキャプチャ部５１は、基準時間検出部４３によって基準時間Ｔｓが検出された以降、すなわち、入力信号６０に対する２回目以降のキャプチャ処理として、フレームトリガ７４（第２のフレームトリガ）を基準として、少なくとも１つのフレームが含まれる長さを有するキャプチャ信号８２をキャプチャするようになっている。図示の例では、キャプチャ信号８２は、２フレーム分の長さを有し、フレーム１２（斜線部）を含んでいる。このフレーム１２は第２のフレームに対応し、フレーム１２に含まれるデータは測定部１４の測定対象となる。なお、第２のキャプチャ部５１は、第２のキャプチャ手段の一例である。
【００４５】
検出窓設定部５２は、基準時間記憶部３２に記憶された基準時間Ｔｓのデータを読み出し、フレームトリガ７４を基準として、比較的狭い時間幅の検出窓（ウィンドウ）Ｗを設定するようになっている。なお、検出窓設定部５２は、検出窓設定手段の一例である。
【００４６】
第２の先頭位置検出部５３は、検出窓設定部５２によって設定された検出窓Ｗにおいて、予め用意された参照フレーム９０を用いて、例えばスライディング相関処理により、キャプチャ信号８２に含まれるフレーム、すなわちフレーム１２の先頭位置６４を検出するようになっている。このフレーム１２の先頭位置６４は、第２のフレームの先頭位置に対応する。なお、第２の先頭位置検出部５３は、第２のフレーム先頭位置検出手段の一例である。
【００４７】
なお、図２に示した例では、キャプチャ信号８１がフレームトリガ７１と同時刻に、キャプチャ信号８２がフレームトリガ７４と同時刻に、それぞれキャプチャを開始したものとしているが、本発明はこれに限定されず、フレームトリガから一定時間離れた時刻にキャプチャを開始する構成としてもよい。
【００４８】
次に、本実施形態におけるフレーム同期装置３０の効果について、図３に基づき従来技術と対比しながら説明する。図３（ａ）は、従来技術によるフレームの先頭位置検出手法を概念的に示している。図３（ｂ）は、本実施形態におけるフレーム同期装置３０によるフレームの先頭位置検出手法を概念的に示している。
【００４９】
図３（ａ）に示すように、従来技術では、入力信号６０からキャプチャした各キャプチャ信号１００に対し、スライディング相関処理によるフレームの先頭位置の検出時間はキャプチャ処理ごとに異なっていた。具体的には、図示の例において、１回目のキャプチャ信号１０１では検出時間Ｔａ、２回目のキャプチャ信号１０２では検出時間Ｔｂ、３回目のキャプチャ信号１０３では検出時間Ｔｃとなっている。
【００５０】
これに対し、図３（ｂ）に示すように、本実施形態におけるフレーム同期装置３０は、１回目のキャプチャ信号８１では従来技術と同様に検出時間Ｔａであるが、２回目以降のキャプチャ信号８２、８３では従来技術とは異なる。なお、説明を簡単にするため、図３（ｂ）において、キャプチャ信号８１のキャプチャ開始時刻をキャプチャ信号１０１のキャプチャ開始時刻と一致させている。
【００５１】
具体的には、フレーム同期装置３０は、２回目以降で、基準時間Ｔｓに基づいて設定された検出窓Ｗにおいてスライディング相関処理によりフレームの先頭位置を検出する構成となっているので、２回目以降は検出時間Ｔｗとなって、従来技術と比べると大幅な時間短縮が可能となる。
【００５２】
なお、３回目のキャプチャ信号８３に含まれるフレーム２２（斜線部）は第２のフレームに対応し、フレーム２２に含まれるデータは測定部１４の測定対象となる。また、フレーム２２の先頭位置６６は、第２のフレームの先頭位置に対応する。また、フレームトリガ７７は、第２のフレームトリガに対応する。
【００５３】
次に、本実施形態における測定装置１０の動作について図４に基づき、図２を参照しながら説明する。図４は、本実施形態におけるフレーム同期方法及び測定方法を説明するためのフローチャートである。
【００５４】
ダウンコンバータ２１は、ＤＵＴ１から入力した入力信号ａをベースバンドの信号にダウンコンバートする（ステップＳ１１）。ダウンコンバートされた信号は、ＡＤＣ２２により、アナログ値からデジタル値に変換され、直交復調部２３に出力される。
【００５５】
直交復調部２３は、ＡＤＣ２２の出力信号をＩ信号成分及びＱ信号成分に直交復調し、直交復調した直交復調信号ｂをフレーム同期装置３０及びＯＦＤＭ復調部１３に出力する（ステップＳ１２）。
【００５６】
フレームトリガ生成部３１は、入力信号６０に含まれる各フレームのフレーム長の時間間隔でフレームトリガ７０を生成し、第１の同期処理部４０及び第２の同期処理部５０に出力する（ステップＳ１３）。
【００５７】
同期状態検出部３３は、基準時間Ｔｓのデータが、基準時間記憶部３２に記憶されていない場合には先頭位置非同期状態と検出し、基準時間記憶部３２に記憶されている場合には先頭位置同期状態と検出する（ステップＳ１４）。そして、同期状態検出部３３は、先頭位置非同期状態と検出した場合には、受信部２０から入力した入力信号ｂ（図２の入力信号６０）を第１の同期処理部４０に出力する。一方、同期状態検出部３３は、先頭位置同期状態と検出した場合には、入力信号ｂを第２の同期処理部５０に出力する。
【００５８】
ステップＳ１４において、先頭位置非同期状態と検出された場合には、第１の同期処理部４０は以下のように動作する。
【００５９】
第１のキャプチャ部４１は、フレームトリガ７１（第１のフレームトリガ）を基準としてキャプチャ信号８１（第１のキャプチャ信号）をキャプチャする（ステップＳ１５）。
【００６０】
第１の先頭位置検出部４２は、予め用意された参照フレーム９０を用いて、例えばスライディング相関処理により、キャプチャ信号８１に含まれるフレーム２の先頭位置６２（第１のフレームの先頭位置）を検出する（ステップＳ１６）。
【００６１】
基準時間検出部４３は、第１のキャプチャ部４１によって基準とされたフレームトリガ７１から第１の先頭位置検出部４２によって検出されたフレーム２の先頭位置６２までの時間を基準時間Ｔｓとして検出する（ステップＳ１７）。
【００６２】
基準時間記憶部３２は、基準時間検出部４３によって検出された基準時間Ｔｓのデータを記憶する（ステップＳ１８）。
【００６３】
一方、ステップＳ１４において、先頭位置同期状態と検出された場合には、第２の同期処理部５０は以下のように動作する。
【００６４】
第２のキャプチャ部５１は、フレームトリガ７４を基準としてキャプチャ信号８２（第２のキャプチャ信号）をキャプチャする（ステップＳ１９）。
【００６５】
検出窓設定部５２は、基準時間記憶部３２に記憶された基準時間Ｔｓのデータを読み出し（ステップＳ２０）、フレームトリガ７４（第２のフレームトリガ）を基準として検出窓Ｗを設定する（ステップＳ２１）。例えば、検出窓設定部５２は、フレームトリガ７４から検出窓Ｗの中心までが基準時間Ｔｓとなるよう検出窓Ｗを設定する。
【００６６】
第２の先頭位置検出部５３は、検出窓設定部５２によって設定された検出窓Ｗにおいて、予め用意された参照フレーム９０を用いて、例えばスライディング相関処理により、キャプチャ信号８１に含まれるフレーム１２の先頭位置６４（第２のフレームの先頭位置）を検出する（ステップＳ２２）。
【００６７】
第１の先頭位置検出部４２及び第２の先頭位置検出部５３は、先頭位置検出信号ｃをＯＦＤＭ復調部１３に出力する（ステップＳ２３）。
【００６８】
ＯＦＤＭ復調部１３は、先頭位置検出信号ｃに基づいて、直交復調部２３からの直交復調信号ｂを復調して復調信号ｄを生成し、測定部１４に出力する（ステップＳ２４）。
【００６９】
測定部１４は、ＯＦＤＭ復調部１３からの復調信号ｄに対し、所定の測定を行う（ステップＳ２５）。
【００７０】
なお、測定装置１０は、ステップＳ２５以降に継続して測定を行う場合には、ステップＳ１４以降の処理を実行し、新たなキャプチャ信号をキャプチャして、そのキャプチャ信号を測定する。
【００７１】
また、測定装置１０は、基準時間Ｔｓの検出後に新たに基準時間Ｔｓを検出する必要が生じた場合、例えば、基準時間Ｔｓの検出後にＤＵＴ１からの信号が途絶えた場合には、先頭位置同期状態から先頭位置非同期状態に移行し、第１の同期処理部４０が新たに基準時間Ｔｓを検出する処理を行う。
【００７２】
以上のように、本実施形態におけるフレーム同期装置３０は、第１のフレームトリガ７１からフレーム２の先頭位置６２までの基準時間Ｔｓを検出した後は、基準時間Ｔｓに基づいてフレーム１２、２２等の先頭位置６４、６６等を検出する構成としたので、入力信号からキャプチャ信号をキャプチャするごとにスライディング相関処理等を行ってフレームの先頭位置を求める従来技術よりも、フレーム同期処理の処理時間の短縮化を図ることができる。
【００７３】
また、本実施形態における測定装置１０は、フレーム同期処理の処理時間の短縮化を図ることができるフレーム同期装置３０を備えるので、測定時間の短縮化を図ることができる。
【産業上の利用可能性】
【００７４】
以上のように、本発明に係るフレーム同期装置及びそれを備えた測定装置並びにフレーム同期方法及び測定方法は、フレーム同期処理の処理時間の短縮化を図ることができるという効果を有し、フレームの先頭位置を検出するフレーム同期装置及びそれを備えた測定装置並びにフレーム同期方法及び測定方法として有用である。
【符号の説明】
【００７５】
１  ＤＵＴ（被測定装置）
２  フレーム（第１のフレーム）
１０  測定装置
１３  ＯＦＤＭ復調部（復調信号出力手段）
１２、２２  フレーム（第２のフレーム）
１４  測定部（測定手段）
２１  ダウンコンバータ（ダウンコンバート手段）
３０  フレーム同期装置
３１  フレームトリガ生成部（フレームトリガ生成手段）
４０  第１の同期処理部
４１  第１のキャプチャ部（第１のキャプチャ手段）
４２  第１の先頭位置検出部（第１のフレーム先頭位置検出手段）
４３  基準時間検出部（基準時間検出手段）
５０  第２の同期処理部
５１  第２のキャプチャ部（第２のキャプチャ手段）
５２  検出窓設定部（検出窓設定手段）
５３  第２の先頭位置検出部（第２のフレーム先頭位置検出手段）
６０  入力信号
６２  第１のフレームの先頭位置
６４、６６  第２のフレームの先頭位置
７０  フレームトリガ
７１  第１のフレームトリガ
７４、７７  第２のフレームトリガ
８０  キャプチャ信号
８１  第１のキャプチャ信号
８２、８３  第２のキャプチャ信号
９０  参照フレーム
Ｔｂ  検出時間
Ｗ  検出窓
【図１】
2019102925.tif 000003
【図２】
2019102925.tif 000004
【図３】
2019102925.tif 000005
【図４】
2019102925.tif 000006